(57)【要約】  本発明は、デジタル増幅器用変調器と、そのような変調器及びデジタル増幅器を備える装置とに関するものである。変調器（１００）は、パルス整形器（１１０）とパルス整形器（１１０）を制御するための制御ユニット（１２０）とを備え、パルス整形器（１１０）は、入力信号をデジタル増幅器用に構成されたビットストリーム（１３０）に変換し、キャリア信号のクロック毎に振幅値を符号化する。パルス整形器（１１０）は、前記入力信号の各振幅値を、異なる様々なビットパターンにより表すことができる。パルス整形器によりそれぞれ用いられるビットパターンは、制御ユニット（１２０）により、対応する関連制御コマンドを用いて決定される。変調器は、デジタル増幅器（４００）による関連ビットパターンの増幅の結果として生じる関連結果振幅値への、制御コマンドの割り当て（１６０）が、制御ユニット（１２０）内に、記憶され、又は少なくとも提供されることと、制御ユニット（１２０）が、割り当て（１６０）、及び入力信号の振幅値を用いて、クロック毎に制御コマンドを選択し、パルス整形器（１１０）を然るべく作動させることとを、特徴とする。【選択図】図１
2019514291.tif 000002
【特許請求の範囲】
【請求項１】
デジタル増幅器（４００）用変調器（１００）であって、
前記変調器（１００）は、パルス整形器（１１０）と、パルス整形器（１１０）を制御するための制御ユニット（１２０）とを備え、
前記パルス整形器（１１０）は、入力信号をデジタル増幅器用に構成されたビットストリーム（１３０）に変換し、且つクロック信号のクロック毎に振幅値を符号化し、
前記パルス整形器（１１０）は、前記入力信号の各振幅値を、異なる様々なビットパターンにより表すことができ、
前記パルス整形器により用いられる各前記ビットパターンは、前記制御ユニット（１２０）により、対応する関連制御コマンドを用いて決定され、
前記変調器は、前記デジタル増幅器（４００）による関連ビットパターンの増幅の結果として生じる関連結果振幅値への、前記制御コマンドの割り当て（１６０）が、前記制御ユニット（１２０）内に、記憶され、又は少なくとも提供されることと、前記制御ユニット（１２０）が、前記割り当て（１６０）、及び前記入力信号の各前記振幅値を用いて、クロック毎に制御コマンドを選択し、前記パルス整形器（１１０）を然るべく制御することとを、特徴とする、
デジタル増幅器用変調器。
【請求項２】
請求項１に記載の変調器であって、
前記結果振幅値への前記制御コマンドの前記割り当て（１６０）が内部に記憶されるメモリ（１５０）を、さらに備える、
変調器。
【請求項３】
請求項２に記載の変調器であって、
前記制御ユニット（１２０）は、少なくとも１つの前記関連結果振幅値を、少なくとも１回変更するように適合されている、
変調器。
【請求項４】
請求項２又は３に記載の変調器であって、
少なくともいくつかの前記ビットパターンは、位相によって割り当てが異なる、
変調器。
【請求項５】
請求項１から４のいずれか１項に記載の変調器であって、
前記制御ユニット（１２０）は、スペクトルの純度、フィルタの必要条件、及び／又は増幅器効率に依存するパラメタが最適化されるように、生成すべき前記ビットパターンを決定するように適合されている、
変調器。
【請求項６】
請求項１から５のいずれか１項に記載の変調器であって、
振幅変調器（１７０）をさらに備え、
前記振幅変調器（１７０）は、前記入力信号の前記振幅値を符号化し、前記制御ユニット（１２０）へ提供するように適合され、
前記制御ユニット（１２０）は、前記符号化された信号を用いて、生成すべき前記ビットパターンを決定するように、さらに適合されている、
変調器。
【請求項７】
請求項６に記載の変調器であって、
前記振幅変調器（１７０）は、前記入力信号の前記振幅値を、以前使用されたビットパターンに関連する結果振幅値を用いて、符号化するように適合されている、
変調器。
【請求項８】
請求項６又は７に記載の変調器であって、
前記振幅変調器（１７０）は、位相変調されたキャリア信号を用いて、前記振幅値を符号化するように適合されている、
変調器。
【請求項９】
請求項８に記載の変調器であって、
前記位相変調されたキャリア信号、及び前記振幅値を表す包絡線信号を、前記入力信号の複素数値表現及びクロック周波数のキャリア信号から生成し、且つそれを前記振幅変調器（１７０）に提供するように適合されている入力段（１８０）をさらに備える、
変調器。
【請求項１０】
入力信号をデジタル増幅された信号に変換するための装置であって、
前記装置（３００）は、請求項１から９のいずれか１項に記載の変調器（１００）、及びデジタル増幅器（４００）を備える、
装置。
【発明の詳細な説明】
【技術分野】
【０００１】
本発明は、デジタル増幅器用変調器と、そのような変調器及びデジタル増幅器を有する装置とに関するものである。
【背景技術】
【０００２】
略してデジタル増幅器とも呼ばれるデジタル電力増幅器、及び電力制御装置は、その多くの利点により、近年低周波領域において急速に定着している。特に、ほぼ全体の出力電力範囲に渡り一貫して高効率であることにより、極めてエネルギー効率に優れ、従って環境に配慮した作動が可能となる。
【０００３】
しかしながら、マイクロ波技術の分野において、デジタル増幅器は未だ定着していない。高帯域幅及び高線形性だけでなく、優れたエネルギー効率での高出力電力も同時に達成することは、トランジスタの周波数限界に対する余地の低さを考慮すると、依然として大きな挑戦である。
【０００４】
デジタル増幅器は、値が離散的な出力信号を、最も単純な設計においては二値信号を、生成する。所望のアナログ出力信号は、出力信号の中間値を増幅器の出力において単純なバンドパスフィルタリングにより復元できるように、値が離散的な出力信号に符号化される。増幅すべき信号を、デジタル増幅器の入力信号へと対応させて符号化する構成を、変調器と呼ぶ。高周波信号（ＲＦ信号）に関しては、物理的及び技術的フレームワークの条件により、低周波領域において既知の変調方式を採用することが妨げられる。
【０００５】
変調器の目的は、入力信号からそのようなビットストリームを生成することである。ビットストリームは、増幅器により可能な限り高い効率で増幅可能であり、出力においてバンドフィルタを通過した後は、キャリア周波数へとアップコンバートされた、変調器の入力信号が増幅されたものに対応する。
【０００６】
現代の通信システムにおいて、入力信号は、典型的には、送信される情報を符号化する位相位置及び振幅の両方の変動を含む。これは、アナログ信号として、各タスクに対して十分に高い振幅及び時間分解能を有する、又はアナログ信号のデジタル表現として得られる。
【０００７】
デジタル増幅器のための２つの変調方法が、技術水準において既知である。Ｓ．  Ｈｏｒｉは、「マルチモード／バンド切替増幅器のための位相変調キャリアクロックを用いた０．７−３ＧＨｚ包絡線ΔΣ変調器」（無線周波数集積回路シンポジウム（ＲＦＩＣ）２０１１、２０１１年６月５〜７日、ページ１−４）において、包絡線デルタシグマ変調（ＥＤＳＭ）について説明している。ＥＤＳＭは、パルスを生成しないか、又は位相変調されたキャリア信号の振動毎に丁度１パルスを生成する。パルス幅を用いて、結果出力振幅を微調整することはできない。
【０００８】
別の方法としては、バンドパスデルタシグマ変調（ＢＰＤＳＭ）があり、例えばＵＳ２０１５／０２８０７３２Ａ１に説明されている。ＢＰＤＳＭは、ＲＦ信号のオーバーサンプリングを必要とし、その結果、キャリア周波数の周期毎の切替動作の数が増加し、その結果、増幅器の放電及び充電損失が生じる。
【０００９】
さらなる変調方法が、Ｆ．  Ｒａａｂによる、「無線周波数パルス幅変調」（ＩＥＥＥ  Ｔｒａｎｓａｃｔｉｏｎｓ  ｏｎ  Ｃｏｍｍｕｎｉｃａｔｉｏｎｓ、ページ９５８−９６６、１９７３年８月）、Ｒ．  Ｓｃｈｅｍｅｌによる、「新しい信号：狭帯域増幅器又は信号経路をそのピーク電力まで線形化する方法」（Ｅｌｅｃｔｒｏｎｉｃ  Ｌｅｔｔｅｒｓ、３６巻７号、ページ６６６−６６７、２０００年３月３０日）、及びＰ．  Ｗａｇｈによる「無歪ＲＦパルス幅変調」（２００２年第４５回中西部回路・システムシンポジウム、ページ１２４−１２７、２００２年）において説明されている。
【００１０】
変調器は、例えば、パルス整形器を備えることができる。ビットパターニングは、インパルス応答を増幅器に適合させ、入力信号をデジタル増幅器用に構成されたビットストリームに変換する。
【００１１】
パルス整形器は、入力信号の振幅値及び位相と、キャリア信号のクロック周波数とを用いて、ビットストリームを生成する。キャリア信号のクロック内の全てのパルスの幅の合計は、例えば、振幅値を表し、第１パルスは位相を表す。いくつかのパルス整形器は、各振幅値を異なる様々な方法で表現することができる。例えば、３の振幅値は、１単位幅のパルス３つとして、３倍の幅に対応するパルス１つとして、又は幅の合計が３単位幅に対応する２つのパルスとして、表現することができる。これは、図１及び図２に例示的に示されている。加えて、パルス間のパルス休止は、可変である。これらの異なる様々な方法は、波形又はビットパターンとも呼ばれている。
【発明の概要】
【００１２】
本発明によれば、請求項１に記載の変調器はデジタル増幅器用に導入される。変調器は、パルス整形器と、パルス整形器を制御するための制御ユニットとを備え、パルス整形器は、入力信号をデジタル増幅器用に構成されたビットストリームに変換し、クロック信号のクロック内の、入力信号の少なくとも１つの振幅値を符号化する。パルス整形器は、入力信号の各振幅値を、異なる様々なビットパターンにより表すことができる。パルス整形器により用いられる各ビットパターンは、制御ユニットにより、対応する関連制御コマンドを用いて決定される。変調器は、デジタル増幅器による関連ビットパターンの増幅の結果として生じる関連結果振幅値への、制御コマンドの割り当てが、制御ユニット内に記憶されること、又は少なくとも、制御ユニットは、割り当て及び入力信号の振幅値を用いてクロック毎に１つの制御コマンドを選択し、且つ然るべくパルス整形器を制御することを、特徴とする。
【００１３】
提案されている変調器は、デジタル増幅器に応じた実際の結果振幅値への制御コマンドの割り当て可能性により、各実装、特にビットパターニング及び／又はデジタル増幅ハードウェアにおいて達成可能なハードウェアの性能に応じて、構成することができる。増幅器の後に実際に結果として生じる位相長は、波形テーブルに記録及び記憶することもできる。このようにして、増幅器の実際の位相誤差を補正することもできる。割り当てを用いた好適な選択により、変調器を、結果振幅値が制御コマンドに割り当てられる各デジタル増幅器用に、例えば、スペクトルの純度、フィルタの必要条件、及び／又は増幅器効率に関して、最適化することができる。
【００１４】
その割り当て可能性により、変調器は、デジタル増幅された出力信号への入力信号の変換を向上させるために有利に用いることができる。
【００１５】
本発明は、従来知られている方法の欠点を低減する新しい変調器について説明する。それは、デジタル回路技術において、又は単純な信号生成ブロックを用いて、実装することができる。デジタル回路は、より大きな部品交差を許容し、従って、よりコスト効率に優れた製造及びキャリブレーション処理を可能にする。
【００１６】
好ましい実施形態において、変調器はメモリを備え、メモリ内では、増幅器による異なる様々なビットパターンの増幅の結果として生じる結果振幅値が、制御コマンドへ割り当てられている。制御ユニットは、入力信号の振幅値、及び結果振幅値を用いて生成すべきビットパターンを決定するように、適合可能である。
【００１７】
ビットパターン割り当て内のエントリの好適な選択により、変調器は、最適化された符号化効率を有する。
【００１８】
これにより、増幅器用のビットストリームを迅速且つ容易に最適化することができる。
【００１９】
制御ユニットは、少なくとも１つの、結果振幅値の記憶された割り当てを、異なる様々なビットパターンの１つへ少なくとも１回変更するように、適合可能である。
【００２０】
これにより、変調器を、異なる様々な増幅器、及び／又は作動中の増幅器特性の変化に応じて、構成変更可能、又は適合可能にできる。
【００２１】
ビットパターンは、位相によって異なり得る。
【００２２】
これにより、増幅器にとってさらにより好適なビットストリームを生成することが可能となる。位相変調されたキャリア信号のクロック（振動）毎に異なる様々なビットパターンを生成することが可能であるため、結果として生じる出力信号の詳細精度が増す。これは、より高純度の出力スペクトル、及びバンドパスフィルタのより少ない必要条件に結果として現れる。
【００２３】
変調器は、振幅変調器を備えてもよい。振幅変調器は、入力信号の振幅値を符号化し、それを制御ユニットへ提供するように、適合可能である。制御ユニットも、符号化された信号を使用して生成すべきビットパターンを決定するように、適合可能である。
【００２４】
振幅変調器は、以前使用されたビットパターンの、結果振幅値を用いて、入力信号の振幅値を符号化するように、さらに適合可能である。
【００２５】
これにより、ノイズの低減が可能となる。特に、実際の結果振幅値ではなく記憶されている結果振幅値を用いることで、フィードバック遅延が低減され、従って、振幅変調器の振動のサージが低減される。
【００２６】
振幅変調器は、振幅変調器用のクロック信号としての役割を果たす、位相変調されたキャリア信号を用いて振幅値を符号化するように、適合可能である。位相位置の補正値も、波形テーブルに記録及び記憶することができる。このようにして、増幅器の実際の位相誤差も補正することができる。
【００２７】
変調器は、入力段をさらに備えてもよく、入力段は、入力信号の複素数値表現及びキャリア信号から、位相変調されたキャリア信号、及び振幅を表す包絡線信号を生成し、それを振幅変調器へ提供するように適合されている。
【００２８】
パルス整形器は、位相変調されたキャリア信号から暫定ビットストリームを生成し、振幅値により少なくとも共に決定される位相を用いてそれを遅延させビットストリームを生成するように、適合可能である。位相は、増幅器の後に結果として生じるパルスの位相位置が所望の理想からどれほどずれているかを表し、そのずれを補償するために必要な遅延と同義である。割り当てには、１つの結果振幅値に対して２つの異なるビットパターンを含めることができ、それらは位相又は遅延が異なる。
【００２９】
パルス整形器は、ｍ倍のオーバーサンプリングを行うシリアライゼーション回路により暫定ビットストリームを生成するように適合可能であり、ｍは、１以上の自然数である。
【００３０】
パルス整形器は、ビットパターンの生成に加え、位相シフトを行うこともできる。
【００３１】
さらに、本発明によれば、請求項１０に記載の装置は、入力信号をデジタル増幅された信号に変換するために提供される。装置は、本発明に係る変調器、及びデジタル増幅器を備える。
【００３２】
装置は、ブロードバンドフィルタリングにより出力信号を生成しデジタル増幅器に付随するバンドパスフィルタを備えることができる。制御ユニットは、デジタル増幅及びバンドパスフィルタリングの結果として生じる結果振幅値を用いて、生成すべき振幅値を決定するように、適合可能である。
【００３３】
振幅変調器は、例えば、１次又はより高次のデルタシグマ変調器とすることができる。デルタシグマ変調器は、ネガティブフィードバックにより、位相変調されたキャリア信号を用いて包絡線信号を符号化する。特に、結果振幅値を、以前用いられたビットパターンに割り当てられた割り当てから、フィードバックすることができる。符号化は、符号化された信号をｄクロック毎に生成する、位相変調されたキャリア信号のクロック分周に基づくことが可能で、ｄは１以上の自然数である。デルタシグマ変調器のノイズシェーピング特性により、フィードバックにより信号品質が向上し、そして、必要条件が減ることにより、幅広い種類のバンドパスフィルタの使用が可能となる。
【００３４】
次いで、ベースバンド信号が、入力段により提供され得る。入力段は、複素数値入力信号を、キャリア周波数を用いて、位相変調されたキャリア信号及び包絡線信号に変換する。
【００３５】
制御ユニットを、既定のパルス整形器、及び既定の増幅器に対して構成を定めることができる。制御ユニットは、既定のパルス整形器に対してのみ構成を定めることができ、又はデジタル出力信号を用いる増幅器の実際の動きに応じて、初期時刻、及び／又はそれ以降に調節可能であることもできる。割り当ては、実際の結果振幅値を用いて調節することができる。このようにして、変換の実際の効率及び／又は実際の線形性は、初期に、且つ／又は後に、特に繰り返し改善され、具体的には最適化される。調節は、例えば、減衰式、反復式、及び／又は増分式により行うことで、調節に起因するパラメタの急激な変化を回避することができる。
【００３６】
パルス整形器に対する制御コマンドは、制御ユニットが、メモリに記憶された、少なくともデジタル振幅により生じた結果振幅値の制御コマンドへの割り当てに従って、振幅値に対する結果振幅値を決定し、然るべくパルス整形器を制御するという事実に基づくことが可能である。入力信号の振幅値に対して最小距離を有する結果振幅値を、決定し用いることができる。最小距離は、例えば、以前決定されたビットパターンにより決定される、割り当て全体、又はサブセット内で決定することができる。特に、割り当ては、所謂ゼロパルス用の制御コマンドを、１つ又はそれ以上の振幅値に割り当てることができ、この制御コマンドにより制御される場合、パルス整形器は、パルスを形成しないように、適合可能である。
【００３７】
本発明の有利な発展形態は、従属請求項に記載され、本明細書において説明される。
【図面の簡単な説明】
【００３８】
本発明の実施形態は、図面及び以下の説明により、より詳細に説明される。
【００３９】
【図１】図１は、キャリア信号のクロック内の例示的な振幅値を表す異なる様々なビットパターンを示している。
【００４０】
【図２】図２は、例示のための異なる様々なビットパターンのさらなる例を示している。
【００４１】
【図３】図３は、本発明に係る変調器の第１実施形態を示している。
【００４２】
【図４】図４は、本発明に係る変調器の第２実施形態を示している。
【００４３】
【図５】図５は、本発明に係る変調器の例示的な第３実施形態を示している。
【００４４】
【図６】図６は、本発明に係る変調器の例示的な第４実施形態を示している。
【００４５】
【図７】図７は、本発明の例示的な実施形態においてパルス整形器がどのように使用可能かを示す、例示的な第１実施形態を示している。
【００４６】
【図８】図８は、本発明の例示的な実施形態においてパルス整形器がどのように使用可能かを示す、例示的な第２実施形態を示している。
【００４７】
【図９】図９は、本発明の例示的な実施形態においてパルス整形器がどのように使用可能かを示す、例示的な第３実施形態を示している。
【００４８】
【図１０】図１０は、本発明の例示的な実施形態においてパルス整形器がどのように使用可能かを示す、例示的な第４実施形態を示している。
【００４９】
【図１１】図１１は、本発明に係る装置の例示的な実施形態を示している。
【００５０】
【図１２】図１２は、本発明の例示的な実施形態において位相信号変調器がどのように使用可能かを示す、例示的な実施形態を示している。
【発明を実施するための形態】
【００５１】
図３は、本発明の第１実施形態に係る変調器１００を示している。変調器は、パルス整形器１１０及び制御ユニット１２０を備える。
【００５２】
パルス整形器１１０は、入力信号の振幅及び位相と、キャリア信号のクロック周波数とを用いて、ビットストリーム１３０を生成するように適合されている。位相変調されたキャリア信号の各クロックに対して、パルス整形器は、入力信号の振幅値の表現を生成する。パルス整形器１１０は、各振幅値を異なる様々な方法で表現することができる。例えば、３の振幅値は、１単位幅のパルス３つとして、３倍の幅に対応するパルス１つとして、又は幅の合計が３単位幅に対応する２つのパルスとして、表現することができる。加えて、又はこれに替えて、パルス間のギャップ幅は、可変である。
【００５３】
これは、パルスと、結果振幅との間の、例示的な関係に過ぎない。図２はさらなる例を示している。実線は、波形テーブルに記述されたそれぞれの規定の波形を説明している。破線は、増幅器及びバンドパスフィルタの後に結果として生じる信号を表している。図２において、全てのパルスの幅と、出力振幅との間に一定の関係はない。全てのパルスは、その効果において相互に影響を及ぼし合う。これにより、例えば、２つのパルスの対応する配置により、ゼロに近い出力振幅を達成することが可能となる。これは、図２の最後の例において示されている。
【００５４】
これらの異なる様々な方法は、ビットパターンとも呼ばれている。パルス整形器１１０は制御入力１１１を備え、制御入力１１１により、パルス整形器を、異なる様々なビットパターンの１つを使用するように、対応する制御コマンドを用いて制御することができる。パルス整形器１１０は、クロック入力１１２、及びビットストリーム１３０としての出力１１３も備える。
【００５５】
制御ユニット１２０は、制御出力１２１を備え、制御出力１２１は、パルス整形器１１０を制御するための、パルス整形器の制御入力１１１に、電気的に接続されている。制御ユニット１２０は入力１２２も備え、入力１２２により、入力信号の振幅を制御ユニットへ供給することが可能である。
【００５６】
制御ユニット１２０は、入力信号をビットストリーム１３０に変換するために、パルス整形器１１０を制御するように適合されており、制御ユニット１２０は、生成されるビットストリーム１３０がデジタル増幅器用に構成されるように、適合されている。
【００５７】
制御ユニット１２０は、パルス整形器１１０によりクロックの時点で生成すべきビットパターンを、既定の増幅器に対応する振幅を少なくとも用いることにより決定し、且つ然るべくパルス整形器１１０を制御するように特に適合されている。その結果、決定されたビットパターンに応じて生成されたビット電流パルスは、増幅器パラメタである、効率、線形性、詳細精度、及び信号対ノイズ比のうちの少なくとも１つに関して、増幅器用に最適化されている。
【００５８】
図３の実施形態はメモリ１５０を用いて行われており、メモリ内では、増幅器による異なる様々なビットパターンの増幅の結果振幅値が、異なる様々なビットパターン、及び／又はパルス整形器１１０の関連制御コマンドに、ビットパターンテーブル１６０において割り当てられ、又はそのような割り当てが提供される。この実施形態において、制御ユニット１２０は、デジタル振幅器による具体的な作動のために、ビットパターンテーブル１６０及び入力信号の各振幅値を用いて、位相変調されたキャリア信号の各クロックに対して、ビットパターンを決定するように適合されている。
【００５９】
従って、変調器は、変調器と共にそれぞれ用いられるデジタル増幅器用に構成、又は事前に構成することができる。構成は、振幅の実際の結果振幅値を用いてビットパターンテーブル１６０内に記憶された振幅値を更新することで、何時でも調節することができる。
【００６０】
制御ユニット１２０は、必ずしも外部からクロックされる必要はなく、従って、クロック入力は任意に装備されるのみである。
【００６１】
図４において、本発明の第２実施形態に係る変調器１００が示されている。
【００６２】
図３に示されている制御ユニット１２０、及びパルス整形器１１０に加え、第２実施形態の変調器１００は、振幅変調器１７０を備える。
【００６３】
振幅変調器１７０は、入力１７１（入力１７１により、入力信号の振幅を制御ユニットへ供給することができる）、及び制御ユニット１２０の入力１２２に電気的に接続されている出力１７２を備え、出力１７２において、振幅変調器１７０は、入力信号の振幅を符号化された形態で制御ユニット１２０に提供する。第２実施形態の制御ユニット１２０は、符号化された信号を使用して、生成すべきビットパターンを決定するように、さらに適合されている。
【００６４】
特に、例示的な実施形態において、振幅変調器１７０はフィードバック入力１７３を備え、制御ユニット１２０は、フィードバック入力１７３に電気的に接続されている振幅出力１２３を備え、振幅出力１２３において、制御ユニット１２０は、結果振幅を出力する。振幅変調器１７０は、フィードバックされた、結果振幅を、符号化のために用いる。
【００６５】
振幅変調器は、例えば、１次又はより高次のデルタシグマ変調器であり、従って、フィードバックはネガティブフィードバックを呈する。
【００６６】
結果振幅は、既に制御ユニット内に記憶されているため、早い段階でフィードバックすることができる。これにより、振動のサージを確実に防ぐ。なぜならば、振幅変調器１７０の振動のサージは、測定されフィードバックされる実際の増幅器出力を使用する際に発生するからである。
【００６７】
特に、別の例示的な実施形態において、振幅変調器１７０は、キャリア信号のクロック周波数を適用可能なクロック入力１７４を備える。この実施形態において、振幅変調器１７０は、クロック周波数を用いて振幅を符号化するようにも適合されている。
【００６８】
図４の実施形態において、ブロック１２０は、クロック入力を備えていない。しかしながら、別の実施形態において、ブロック１２０は、例えば、振幅変調器１７０からのクロックにより提供されるクロック入力を備える。
【００６９】
図５において、本発明の例示的な第３実施形態に係る変調器１００が示されている。
【００７０】
図３に示されている制御ユニット１２０、及びパルス整形器１１０に加え、例示的な第３実施形態の変調器１００は、入力段１８０を備える。
【００７１】
入力段１８０は、３つの入力１８１、１８２、及び１８３と、２つの出力１８４及び１８５とを備える。入力信号の複素数値表現のＩ成分及びＱ成分を、入力のうちの２つである入力１８１及び１８２に適用することができる。クロック周波数を有するキャリア信号を、第３の入力１８３に適用することができる。Ｉ成分、Ｑ成分、及びキャリア信号を適用すると、入力信号の位相によりシフトされたキャリア信号を出力１８４において、入力信号の振幅を表す包絡線信号を出力１８５において、抽出することができる。
【００７２】
第３実施形態において、出力１８５は入力１２２に電気的に接続されており、出力１８４はクロック入力１１２に電気的に接続されている。
【００７３】
例示的な第３実施形態において、本発明に係る変調器１００は、同相／直行位相成分表現（Ｉ及びＱ）での複素数値入力信号としての増幅すべき信号と、例えば、クロック周波数を有する正弦波振動である、所望のキャリア信号の表現とを、受信する。入力段１８０において、包絡線の振幅情報がこのデータから得られる。加えて、入力信号の位相情報を用いて、キャリア信号を位相変調する。
【００７４】
図６において、本発明の例示的な第４実施形態に係る変調器１００が示されている。
【００７５】
図３に示されている制御ユニット１２０、及びパルス整形器１１０に加え、第４実施形態の変調器１００は、振幅変調器１７０及び入力段１８０を備える。
【００７６】
第４実施形態において、出力１８５は入力１７１に電気的に接続されており、出力１８４はクロック入力１１２及びクロック入力１７４に電気的に接続されている。振幅変調器１７０と制御ユニット１２０との間の電気的接続は、第２実施形態のそれに対応している。
【００７７】
図７は、本発明の例示的な実施形態において用いられているような、パルス整形器１１０の例示的な第１実施形態を示している。
【００７８】
パルス整形器１１０は、クロック入力１１２に適用される信号をｍ倍でオーバーサンプルし、従って信号をｍ倍の周波数に上げる、ｍ倍のオーバーサンプラ（周波数逓倍器）（ｍは、１以上の数である）と、入力１１２における信号の周波数をｍ倍に高めるビットストリームシリアライザ２１０とを備える。この新たな、より速いクロックを用いて、ビットストリームシリアライザ２１０は、テーブルから選択された波形表現を、ビットストリームに変換する。ビットストリームシリアライザ２１０によりビットストリームのビットを生成するために用いられるビットパターンは、制御入力１１１における各制御コマンドを用いて、選択装置２５０（セレクタ）により決定され、ビットストリームシリアライザ２１０に送信される。示した例において、パルス整形器１１０は制御可能な遅延線２２０をさらに備え、遅延線２２０により、セレクタ２５０により決定され制御可能な遅延線２２０へ送信される位相情報に従って、ビットストリームを遅延させることができる。
【００７９】
パルス整形器１１０の例示的な第１実施形態において、ビットストリームシリアライザ２１０は、この段階でシリアライズすべきデータを含む並列データワード（ビットパターン）を直接受信する。
【００８０】
パルス整形器１１０の例示的な第１実施形態において、制御可能な遅延線２２０は、整相信号を直接受信する。整相信号は、位相の調整を示し、従って、ビットストリームシリアライザ２１０の出力からのシリアルビットストリームをどの程度遅延させるべきかを示す。
【００８１】
図８は、本発明の例示的な実施形態において用いられているような、パルス整形器１１０の例示的な第２実施形態を示している。
【００８２】
第１実施形態とは対照的に、例示的な第２実施形態においては、整相信号は、制御可能な遅延線２２０ではなく、介在する位相信号変調器２３０へ供給される。
【００８３】
位相信号変調器２３０は、例えば、１次又はより高次のデルタシグマ変調器である。図１２は、ディスクレタイザ２３５を用いて信号を離散化し、離散化された信号を入力される整相信号から取り除く位相信号変調器２３０を、例示的に示している。差信号は、集約されてディスクレタイザ２３５へ供給される。離散化された信号は、位相信号変調器２３０の出力において入手することもできる。位相信号変調器２３０は、整相信号を、整相信号と比べより低い分解能を有する追加的な低分解能整相信号に変換する。
【００８４】
整相信号を、整相信号と比べより低い分解能を有する追加的な低分解能整相信号に変換することができる、他の変調器も用いることができる。これにより、位相信号よりも粗い分解能を有する制御可能な遅延線２２０を配置することが可能となる。
【００８５】
追加的な整相信号により予め規定された遅延が、ビットストリームシリアライザのビット時間を超えるほどに大きい場合、ビットストリームシリアライザにより、遅延を完全に、又は部分的に生成することが有利な可能性がある。
【００８６】
パルス整形器１１０の例示的な第３実施形態において、本発明の例示的な実施形態において用いられ、図９に示されているように、追加的な整相信号は、位相信号変調器２３０により整数部分と剰余に分解される。追加的な整相信号の整数部分に対応する遅延部分は、ビットシフトユニット２４０へ供給される。ビットシフトユニット２４０は、整数部分に対応するビット数だけ並列データワードをシフトする。次いで、シフトされたデータワードは、ビットストリームシリアライザ２１０へ供給される。例示的な第３実施形態において、制御可能な遅延線２２０は、追加的な整相信号の剰余、つまり、最大でビットストリームシリアライザのビット時間に対応する遅延のみを生じさせる。
【００８７】
追加的な整相信号の整数部分は、追加的な整相信号よりもさらに粗い分解能を有する。
【００８８】
追加的な整相信号の剰余は、追加的な整相信号と同じ分解能を有するが、例示的な第２実施形態と比べより低い値の幅を有する。なぜならば、剰余はビットストリームシリアライザのビット時間よりも小さいからである。
【００８９】
実際には、剰余により、つまり、多くの用途においては制御可能な遅延線２２０により生じる追加の遅延をなくすことも可能であり、これは特に、追加的な整相信号の整数部分がビットストリームシリアライザ２１０のいくつかのビット時間に対応する場合であるが、その場合のみではない。図１０は、パルス整形器１１０の例示的な第４実施形態を示しており、本発明の例示的な実施形態において用いることが可能なこのパルス整形器１１０は、制御可能な遅延線２２０を備えていない。
【００９０】
例示的な第４実施形態において、追加的な整相信号は、位相信号変調器２３０により、ビットストリームシリアライザ２１０のビット時間の整数に端数を切り上げ又は切り下げられている。整数に端数を切り上げ又は切り下げられた整相信号は、ビットシフトユニット２４０へ供給される。ビットシフトユニット２４０は、整数に端数を切り上げ又は切り下げられた整相信号に対応するビット数だけ並列データワードをシフトする。次いで、シフトされたデータワードは、ビットストリームシリアライザ２１０へ供給される。
【００９１】
図１１は、本発明の実施形態に係る装置３００の例示的な実施形態を示している。
【００９２】
装置３００は、本発明に係る変調器１００、及びデジタル増幅器４００を備える。変調器１００は、入力信号の振幅及び位相からビットストリーム１３０を生成する。次いで、ビットストリーム１３０は、増幅器４００によりデジタル増幅される。変調器１００の制御ユニットにおいて、各ビットパターンに由来するデジタル増幅器４００の結果振幅は、制御コマンドに割り当てられたビットパターンテーブル内に記憶される。
【００９３】
図１１の例示的な実施形態において、変調器１００は、特に図１から図４の例示的な実施形態の１つに従って適合可能である。さらに、図１１に示されている例示的な実施形態において、パルス整形器１１０は、特に図７から図１０の例示的な実施形態の１つに従って適合可能である。
【００９４】
本発明に係る変調器は、増幅器、パルス整形器、及び／又はさらなる部品の各特性及び可能性に応じて、非常に柔軟に調節可能である。
【００９５】
制御ユニットに関して、異なる変化実施形態が考えられる。
【００９６】
最も単純な変化実施形態において、制御ユニットは、ビットパターンテーブル中のエントリであって、その振幅値が制御ユニットの入力値と最小の差で対応する、エントリを選択する。拡張された変化実施形態において、制御ユニットが、変調器及び増幅器の回路全体のより有利な動きを達成するために、規定された規則に従うこの方法から逸脱することが考えられる。例えば、増幅器における状態変化を最小化し、それにより、放電及び充電損失により発生するエネルギー損失を低減するために、パルスは省略可能である（パルスを出力しないようにパルス整形器に命令を与えるビットパターンテーブルのエントリが選択される）。特定のパラメタを最適化する多くの他のアルゴリズムが考えられる。
【００９７】
振幅変調器は、１次のデルタシグマ変調器として設計することができる。そのようなデルタシグマ変調器は、どのビットパターンが実際に選択されたかに関する制御ユニットの情報を、離散化誤差を識別し、然るべく対応するために、用いることができる。ここで、増幅器の出力フィルタに対する必要条件を減らし、信号品質を向上させるために、デルタシグマ変調器のノイズシェーピング特性を有効に適用することができる。別の変形例において、より高次のデルタシグマ変調器、又は完全に異なる変調器のコンセプトも用いることができる。振幅変調器を完全に取り除き、入力段の包絡線信号を制御ユニットに直接供給することも考えられる。
【００９８】
振幅変調器及び制御ユニットは、位相変調されたキャリア信号のそれぞれの完全な振動に対して、パルス整形器への生成命令を１つずつ生成する。しかしながら、変調段のクロック入力におけるクロック分周ブロックにより、キャリア信号のｄ振動毎にのみ命令を生成するようにも構成できる。このとき、ビットパターンテーブルのエントリは、それぞれｄクロック長さのビットパターンを含む。この場合、ｄは１以上の自然数である。
【００９９】
変調器は、ただ１つの（２値）入力を有するデジタル増幅器に限定されるものではなく、いくつかの入力を有する増幅器を作動させることも可能である。ビットパターン生成ユニットを然るべく拡張又は増やし、追加情報をビットパターンテーブルに記憶することのみを必要とする。
【０１００】
この変調器は、変調器及び増幅器の複合体の線形性を高めるために、パラメタを容易に補正することも可能にする。この目的のために、実際の結果振幅、及び実際の位相位置を、ビットパターンテーブル内に記憶されている各ビットパターンに対して、（バンドパスフィルタの前又は後の）増幅器の出力信号から決定することができる。次いで、これらの値は、ビットパターンテーブルへと引き継ぐことができる。実際のハードウェア特性により良く適合するパラメタを用いることで、出力信号の線形性の向上が達成される。
【０１０１】
別の変化実施形態において、上述のビットパターンテーブルのエントリの補正を１度だけではなく、繰り返し行うことも可能である。上述の値の識別は、実際の有効な信号に基づいて行うことも可能であるため、この補正を作動中に実行することも可能である。このタスクのために、出力信号をセクション単位で、又は連続的にも取り出すことができる。ビットパターンテーブルを更新する際のパラメタの突然の急激な変化を回避するために、以前の値を考慮し、減衰式又は増分式及び／又は反復式の調節を行うことが有効であり得る。
【０１０２】
本発明の実施形態は、入力信号を、一連のデジタルパルスに変換可能な方法を含む。一連のデジタルパルスは、増幅された入力信号をバンドパスフィルタリングにより増幅されたパルスから得られるように、デジタル電力増幅器により増幅するうえで、好適である。
【０１０３】
実施形態において、好適なビットパターンが、必要に応じて選択可能な２つの重要な基準、つまり、送信信号の、結果振幅、及び結果位相位置と共に、記憶されている、ビットパターンテーブルが存在する。
【０１０４】
位相変調された信号の各周期毎に、符号化された信号が制御ユニットの包絡線へ供給され、制御ユニットは、特定の規則に従いビットパターンテーブルからエントリを選択し、テーブルに規定された対応するビットパターンを、ビットストリームに変換する。
【０１０５】
入力信号は、複素数値でも、且つ／又は同相／直行位相成分表現で利用可能としても、よい。
【０１０６】
デルタシグマ変調などの、ノイズシェーピング変調方法を、振幅変調に用いることが可能である。
【０１０７】
ビットパターンテーブル内のエントリは、作動中に変更可能である。
【０１０８】
例えば、ビットパターンテーブル内のエントリは、変調された信号の非線形歪み、又は他の特性が最適化されるように、作動中に自動的に調節される。
【０１０９】
別の実施形態において、パルス整形器は、位相シフトも行う。
【０１１０】
別の設計例において、装置は、デジタル増幅器に付随し、且つブロードバンドフィルタリングにより出力信号を生成する、バンドパスフィルタを備える。この実施形態の例において、制御ユニットは、デジタル振幅及びバンドパスフィルタリングから生じる結果振幅、又はデジタル振幅のみから生じる結果振幅を用いて、生成すべき振幅を決定するように適合されている。加えて、結果位相を考慮することができる。
【０１１１】
振幅変調器は、例えば、１次又はより高次のデルタシグマ変調器であって、以前使用が意図されていたビットパターンに関連付けられた結果振幅値をネガティブフィードバックすることにより、位相変調されたキャリア信号を用いて包絡線信号を符号化する、デルタシグマ変調器である。符号化は、位相変調されたキャリア信号のクロック分周に基づくことが可能で、制御信号のｄクロック毎に、符号化された信号を生成し、ｄは１より大きい、又は１に等しい自然数である。デルタシグマ変調器のノイズシェーピング特性は、フィードバックにより信号品質を向上させ、バンドパスフィルタの必要条件を減らすことで、より多様なバンドパスフィルタを使用可能にする。
【０１１２】
一方、位相変調されたキャリア信号は、例えば、同相／直行位相成分表現により、複素数値入力信号を、キャリア周波数を用いて、位相変調されたキャリア信号及び包絡線信号に変換することで、提供される。
【０１１３】
第１実施形態において、制御ユニットは、既定のパルス整形器、及び既定の増幅器に対して構成が定められている。第２実施形態において、制御ユニットは、増幅器の実際の動きに応じて、既定のパルス整形器に対してのみ、初期及び／又はそれ以降に、デジタル出力信号を用いて調節可能である。調節は、例えば、実際の結果振幅を用いて、割り当てを調節することにより行われる。このようにして、変換の実際の効率及び/又は実際の線形性は、初期及び／又はそれ以降に、また特に反復的に、向上され、具体的には最適化される。調節に起因するパラメタの急激な変化を回避するために、調節は、例えば、減衰式、反復式、及び／又は増分式で行われる。
【０１１４】
制御ユニットは、入力信号の振幅値に対してビットパターンを決定し、且つパルス整形器が決定されたビットパターンを用いるように対応してパルス整形器を制御するように、適合されている。これは、例えば、制御ユニットであって、少なくともデジタル振幅から生じる結果振幅の、ビットパターンへの割り当てであって、メモリに記憶され且つパルス整形器が用いることができる割り当て内の振幅値から、結果振幅値を決定し、そして、割り当てられたビットパターンを用いるようにパルス整形器を制御する、制御ユニットに基づくことができる。例えば、最小距離を有する結果振幅値を決定し、必要であれば、依然として割り当てられている位相位置と共に用いることができる。最小距離は、割り当て全体、又はサブセット内で決定することができ、例えば、以前決定されたビットパターンにより決定される。割り当ては、特に、１つ又はそれ以上の、結果振幅値に、所謂ゼロパルスの制御コマンドを割り当てることができ、この制御コマンドにより制御される場合、パルス整形器は、パルスを形成しないように適合可能である。
【０１１５】
デジタル実装では、フィールドプログラマブルゲートアレイ（ＦＰＧＡ）などの再構成可能な部品、又は特定用途向け集積回路（ＡＳＩＣｓ）などの特定用途向けプロセッサが存在し、これらは、フィールド内の１つ、いくつか、及び／又は全てのパラメタの、迅速な調節を、作動中においてさえも、可能にする。従って、顧客固有の調節のコストを最小限に抑えることができる。動的なパラメタ調節が必要とされる新たな応用が可能となる。
【０１１６】
本発明を、好ましい実施形態により、詳細に例示及び説明してきたが、本発明は、開示された実施形態に限定されるものではなく、当業者によって、本発明の保護の範囲を逸脱しない範囲で、他の変形が導き出される可能性がある。
【図１】
2019514291.tif 000003
【図２】
2019514291.tif 000004
【図３】
2019514291.tif 000005
【図４】
2019514291.tif 000006
【図５】
2019514291.tif 000007
【図６】
2019514291.tif 000008
【図７】
2019514291.tif 000009
【図８】
2019514291.tif 000010
【図９】
2019514291.tif 000011
【図１０】
2019514291.tif 000012
【図１１】
2019514291.tif 000013
【図１２】
2019514291.tif 000014
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
デジタル増幅器（４００）用変調器（１００）であって、
前記変調器（１００）は、パルス整形器（１１０）と、パルス整形器（１１０）を制御するための制御ユニット（１２０）とを備え、
前記パルス整形器（１１０）は、クロック入力（１１２）、制御入力（１１１）、ｍ倍のオーバーサンプラ、及びビットストリームシリアライザ（２１０）を備え、前記クロック入力（１１２）に適用される入力信号をデジタル増幅器用に構成されたビットストリーム（１３０）に変換するように適合され、且つクロック信号のクロック毎に前記入力信号の振幅値を符号化し、
前記パルス整形器（１１０）は、前記入力信号の各振幅値を、異なる様々なビットパターンにより表すことができ、
前記パルス整形器により用いられる各前記ビットパターンは、前記制御ユニット（１２０）により、前記制御入力（１１１）に適用される、対応する関連制御コマンドを用いて決定され、
前記変調器は、前記デジタル増幅器（４００）による関連ビットパターンの増幅の結果として生じる関連結果振幅値への、前記制御コマンドの割り当て（１６０）が、前記制御ユニット（１２０）内に記憶されることと、前記制御ユニット（１２０）が、前記割り当て（１６０）、及び前記入力信号の各前記振幅値を用いて、クロック毎に制御コマンドを選択し、前記パルス整形器（１１０）を然るべく制御することとを、特徴とし、その結果、前記決定されたビットパターンに応じて生成されたビットストリームパルスは、増幅器特性である、効率、線形性、詳細精度、及び信号対ノイズ比のうちの少なくとも１つに関して、前記デジタル増幅器用に、最適化されており、
前記ｍ倍のオーバーサンプラは、前記入力信号をｍ倍でオーバーサンプルし、従って前記入力信号をｍ倍の周波数に上げるように適合され、ｍは１よりも大きい数であり、
前記ビットストリームシリアライザ（２１０）は、前記入力信号の周波数をｍ倍に高め、且つ前記入力信号を、前記選択された制御コマンドにより決定されたビットストリームに、周波数を高められたクロックを用いて変換するように適合されている、
デジタル増幅器用変調器。
【請求項２】
請求項１に記載の変調器であって、
前記結果振幅値への前記制御コマンドの前記割り当て（１６０）が内部に記憶されるメモリ（１５０）を、さらに備える、
変調器。
【請求項３】
請求項２に記載の変調器であって、
前記制御ユニット（１２０）は、少なくとも１つの前記関連結果振幅値を、少なくとも１回変更するように適合されている、
変調器。
【請求項４】
請求項２又は３に記載の変調器であって、
少なくともいくつかの前記ビットパターンは、位相によって割り当てが異なる、
変調器。
【請求項５】
請求項１から４のいずれか１項に記載の変調器であって、
前記制御ユニット（１２０）は、スペクトルの純度、フィルタの必要条件、及び／又は増幅器効率に依存するパラメタが最適化されるように、生成すべき前記ビットパターンを決定するように適合されている、
変調器。
【請求項６】
請求項１から５のいずれか１項に記載の変調器であって、
振幅変調器（１７０）をさらに備え、
前記振幅変調器（１７０）は、前記入力信号の前記振幅値を符号化し、前記制御ユニット（１２０）へ提供するように適合され、
前記制御ユニット（１２０）は、前記符号化された信号を用いて、生成すべき前記ビットパターンを決定するように、さらに適合されている、
変調器。
【請求項７】
請求項６に記載の変調器であって、
前記振幅変調器（１７０）は、前記入力信号の前記振幅値を、以前使用されたビットパターンに関連する結果振幅値を用いて、符号化するように適合されている、
変調器。
【請求項８】
請求項６又は７に記載の変調器であって、
前記振幅変調器（１７０）は、位相変調されたキャリア信号を用いて、前記振幅値を符号化するように適合されている、
変調器。
【請求項９】
請求項８に記載の変調器であって、
前記位相変調されたキャリア信号、及び前記振幅値を表す包絡線信号を、前記入力信号の複素数値表現及びクロック周波数のキャリア信号から生成し、且つそれを前記振幅変調器（１７０）に提供するように適合されている入力段（１８０）をさらに備える、
変調器。
【請求項１０】
入力信号をデジタル増幅された信号に変換するための装置であって、
前記装置（３００）は、請求項１から９のいずれか１項に記載の変調器（１００）、及びデジタル増幅器（４００）を備える、
装置。
【国際調査報告】
2019514291.tif 000015
2019514291.tif 000016
2019514291.tif 000017
2019514291.tif 000018
2019514291.tif 000019
2019514291.tif 000020